Podtech/llm-jp-corpus-v4-ja_patent huggingface dataset:
(57)【要約】      （修正有）【課題】  お風呂の残り水を簡単に、手も濡れずに排水が出来る機能の提供。【解決手段】お風呂の残り水を抜くときに、水栓４又は鎖２にフックを付けて、ブイ又は浮き３を付けて水に浮かせて、ブイ又は浮き３の上に手に持ちやすい取っ手を付けて持ちあげることにより、手も濡れずに簡単に水栓が外れてお風呂の排水が出来ることになる。【選択図】図２
2007185474.tif 000002
【特許請求の範囲】
【請求項１】
お風呂の残り水を濡れないで水栓を抜く方法
【発明の詳細な説明】
【発明の詳細な説明】
【発明の属する技術の分野】
【０００１】この発明はお風呂の中の残り水を簡単に、力がいらずに手も濡らさず水栓を抜く方法です。
【従来の方法】
【０００２】お風呂に残り水は浴槽の中に水栓があり水圧が掛かった鎖を、手のひらに巻き付かして栓を抜いて、浴槽の水を外部に流す。
【発明が解決しようとする課題】
【０００３】お風呂の浴槽の残り水は冬は冷たくて、夏は汗の臭いがして浴槽の中の鎖を手で探して鎖を持ち上げて手のひらに鎖を巻き付けて、水圧にかかった水栓を持ち上げて女子、  子どもは少しやり図来作業で、本発明は浴槽の中の鎖又は水栓に鎖を直接つなぎ空気の入った  浮き、ぶいにつなぎ水面に浮かぶようになり、浮き、ぶいの上に取っ手を付ける事で、手が水に濡れずに、又力を入れずに水栓が簡単に外れます。
【課題を解決するための手段】
【０００４】その結果，水の中の物を外部に出すことでお風呂の残り水の水槽に、物を浮かすことで手が濡れない事をこの発明を完成した。
【発明を実施するための最良の形態】
【０００５】以下、本発明の実施例の図面を参照して説明する。
第１図は従来風呂の断面図である。
第２図は本発明の断面図で本発明は簡単は構造で、従来の浴槽の残り水を水槽が取り除くには汚れた水の中に手を入れる作業があり違和感があり  また浴槽の中の冷たい鎖を取り出し冷たい鎖を手のひらに巻き付き水圧の掛かった水栓を抜くのが煩わしい思いをしていましたが、水槽に浮かしてブイ、浮きに取っ手を付けて取っ手を少し持ち上げると簡単に、水栓が外れる事で本発明が解決します。
第３図
ブイ又は浮き
【発明の効果】
【０００６】以上に詳しく述べたように、この発明によれば浴槽の水栓抜きは、手が濡れないのと力があまり入らない小学生の低学年でも風呂の水栓が外せる効果がある。
【図面の簡単な説明】
【０００７】
【図１】従来のお風呂浴槽断面図
【図２】手が触れないブイ、浮き付お風呂浴槽断面図
【図３】取っ手付  ブイ、浮き
【符号の説明】
【０００８】１浴槽の水面    ２鎖    ３ブイ  浮き    ４排水溝のゴムキャップ
【図１】
2007185474.tif 000003
【図２】
2007185474.tif 000004
【図３】
2007185474.tif 000005
(57)【要約】【課題】  風通しのある状態で食品等を保存できる、通風食材保存室付き収納棚を提供する。【解決手段】  収納棚の底部に開口部を設け、収納棚設置箇所の床にも開口部を設けて、床下の空気を収納棚内部に取り込めることを特徴にする、通風食材保存室付き収納棚。【選択図】図２
2007185471.tif 000002
【特許請求の範囲】
【請求項１】
収納棚の底部に開口部を設け、収納棚設置箇所の床にも開口部を設けて、床下の空気を収納棚内部に取り込めることを特徴にする、通風食材保存室付き収納棚。
【請求項２】
収納棚の底部に開口部を設け、収納棚設置箇所の床にも開口部を設けて、クランプ式ガイド付き留め具によって固定され転倒防止効果を有する、請求項１の通風食材保存室付き収納棚。
【発明の詳細な説明】
【技術分野】
【０００１】  本発明は、風通しのある状態で食品等を保存できる、通風食材保存室付き収納棚に関するものである。
【背景技術】
【０００２】  従来、一般家庭では、冷暗所を好む野菜や穀物等の食材を保存するのに適した場所がなく、保存に不適切な状態で保存されることがあった。
【発明の開示】
【発明が解決しようとする課題】
【０００３】  そのため、次のような問題があった。
（イ）高温多湿の状態で保存される。
（ロ）虫がつく。
（ハ）腐敗が早まる。
【課題を解決するための手段】
【０００４】  収納棚の底部に開口部を設ける。収納棚設置箇所の床にも開口部を設けて、床下の空気を収納棚内部に取り込めるようにする。また、気密性を高めるため、棚底部と床は留め具を用いて圧着固定させる。
【発明の効果】
【０００５】  床下の空気の流れを収納棚内部に取り込み、風通しのある状態を作ることができる。そのため、低温乾燥状態になり、虫や腐敗を防ぐことができる。また、収納棚の戸を開ければ床下換気も可能となる。固定器具の設置により、災害時等の転倒防止の効果もある。
【発明を実施するための最良の形態】
【０００６】  以下、本発明の実施の形態について説明する。
（イ）収納棚下部を通風食材保存室（１）とする。
（ロ）通風食材保存室の内部はすのこ（２）が敷かれている。すのこ（２）の下には防虫      ネット（３）が取り付けられる。
（ハ）防虫ネット（３）の下は開口部が設けられており、床の開口部に合わせてクランプ      式ガイド付き留め具（５）で、既存床板（６）や既存根太（７）に固定されている      。
（ニ）クランプ式ガイド付き留め具（５）のガイド範囲内であれば、効果的な４箇所の固      定を行うことができる。
（ホ）収納棚が床板に接する箇所には、フェルト（４）を設置する。
（ヘ）通風食材保存室は引違い戸（９）とし、パッキン（８）を設ける。
本発明は以上のような構成で、これを使用する時は通風食材保存室（１）に食材等を入れる。引違い戸を閉めれば、フェルト（４）やクランプ式ガイド付き留め具（５）パッキン（８）によって密閉され、床下の空気を通風食材保存室（１）に取り入れて循環させることができる。
引違い戸（９）が開いていれば、床下の空気が部屋内部の空気とも循環する。既設換気扇（１０）を併用すれば、床下の空気を強制的に換気することもできる。これにより、床下の乾燥効果もある。
クランプ式ガイド付き留め具（５）の設置により、災害時等の転倒防止効果もある。
【図面の簡単な説明】
【０００７】
【図１】本発明の斜視図
【図２】通風食材保存室（１）の正面断面図
【図３】通風食材保存室（１）の平面図
【図４】通風食材保存室（１）の防虫ネット（３）箇所平面断面図
【図５】通風食材保存室（１）のクランプ式ガイド付き留め具（５）箇所平面断面図
【図６】通風食材保存室（１）の引違い戸（９）密閉通風状態を示す内部斜視図
【図７】通風食材保存室（１）の引違い戸（９）開放通風状態を示す内部斜視図
【図８】本発明設置状態の引違い戸（９）開放通風状態を示す室内断面図
【符号の説明】
【０００８】  １  通風食材保存室
２  すのこ
３  防虫ネット
４  フェルト
５  クランプ式ガイド付き留め具
６  既存床板
７  既存根太
８  パッキン
９  引違い戸
１０  既設換気扇
【図１】
2007185471.tif 000003
【図２】
2007185471.tif 000004
【図３】
2007185471.tif 000005
【図４】
2007185471.tif 000006
【図５】
2007185471.tif 000007
【図６】
2007185471.tif 000008
【図７】
2007185471.tif 000009
【図８】
2007185471.tif 000010
(57)【要約】【課題】パーティやスナック（飲み屋）等で話がつづかないときなど、その場が寂しくなることがある。【解決手段】裏に話のタネ（話題）を記載したカード、１０枚から５０枚をゲーム感覚で選んで、それについて話をする。その場が楽しくなる。【選択図】図１
2007185472.tif 000002
【特許請求の範囲】
【請求項１】
話のタネ（話題）の項目を裏に記載したことを特徴とするカード。
【発明の詳細な説明】
【技術分野】
【０００１】  この発明は、トランプのようなカードの種類に関する。
【背景技術】
【０００２】  従来のカードは数字や絵を要いてゲームをするものである。
【発明の開示】
【発明が解決しようとする課題】
【０００３】  パーティやスナック（飲み屋）等で話がつづかないときや、話下手な人にゲーム感覚で話題を提供することを課題とする。
【課題を解決するための手段】
【０００４】  以上の課題を解決するために、第一発明は、裏に話のタネ（話題）を記載したことを特徴とするカードを用いてコミュニケーションを図る。
【発明の効果】
【０００５】  第一発明によれば、パーティやスナック（飲み屋）等で話題を提供することにより、その場が楽しくなる。
【発明を実施するための最良の形態】
【０００６】  この発明の一実施形態を、図１に示す。
カードの本体はプラスティック製または紙製であり、この本体の裏面には、話のタネ（話題）が記載されている。これが１０枚から５０枚ある。
（例）天気の話、家族の話、政治の話、恋人の話、仕事の話、趣味の話ｅｔｃ
【図面の簡単な説明】
【０００７】
【０００８】
【図１】この発明の一実施形態を示す斜視図である。
【図１】
2007185472.tif 000003
(57)【要約】【課題】  経験や技術が必要な仕事「畳表の折り曲げ」を、素人でも正確にできる道具を提供する。【解決の手段】  「上前」の折り目を「下前」の折る位置からの寸法に設定する事により、解決するものである。【選択図】図１
2007185475.tif 000002
【特許請求の範囲】
【請求項１】
畳表の「下前」を任意の寸法に折るため、畳表折り曲げ用刃物（畳表の折り曲げ位置）より自由に寸法を設定でき、更に「上前」の折り目を目安に畳表を挟むことのできる、定規状の物。
〈用語の説明〉
畳に関係する業界用語。
「上前」畳の巾にあたる二辺の内、基準の辺。
「下前」上前の反対側の巾の辺。（よせ側）
【発明の詳細な説明】
【技術分野】
【０００１】縁無し畳製作において、畳表の折り曲げ寸法の設定方法と精度が、製品の仕上がりとスピードに大きく影響する。その寸法設定を、見て分かり易く、簡単に出来るようにするものである。
【背景技術】
【０００２】最近、縁無半畳の市松敷きの畳の部屋のブームにより、各機械メーカーより畳表折り曲げ機が製品化されてきましたが、寸法設定などで苦労している状況です。【０００３】
【特許文献】
【発明の開示】
【発明が解決しようとする課題】
【０００４】畳の製品の質にかかわる、畳表の「上前」「下前」間の寸法を、技術、経験の少ない人にでも簡単に、正確に設定できるようにする事が課題である。
【課題を解決するための手段】
【０００５】畳表を折るための刃物より、任意の寸法に設定した定規状の物が「上前」の折り目を目安にロックする事により、「上前」「下前」間の折り巾を正確に簡単に折り曲げる事ができる。
【発明の効果】
【０００６】鉛筆などによる、線上を折り曲げる事を主とした工法に比べ、技術のない人にでも簡単に作業する事ができる。
【実施例】
【０００７】図１を参考に実施例を説明する。
畳表折り曲げ機に「目盛付きレール５」と「ロック用ノブ６」を使い、畳表折り曲げ機用寸法設定装置（点線の中）を任意の寸法に設定した状態です。
折り目を目安に、合わせやすい突起を持つ「定規状の物３」と「定規状の物４」との間に「畳表１」を「上前」の折り目を目安にはさみ、「下前」の「折り目１１」を作る。
【図面の簡単な説明】
【０００８】
【図１】畳表折り曲げ機に、畳表折り曲げ機用寸法設定装置をセットした状態です。
【図２】「図１」の点線の中の部分を分かりやすく図にした物です。
【符号の説明】
【０００９】１．畳表
２．畳表を折り曲げるための刃物
３．折り目に合わせやすい突起を持つ定規状の物
４．「３」と一体になる定規状の物
５．寸法を設定するための目盛を持つレール
６．「定規状の物４」をレールにロックするためのノブ
７．「定規状の物３、４」を一体にするための突起
８．「定規状の物３，４」を一体にするための穴
９．「上前」の折り目を合わせやすくするための突起
１０．「上前」の折り目
１１．「下前」の折り目
【図１】
2007185475.tif 000003
【図２】
2007185475.tif 000004
(57)【要約】【課題】うどんやそば、そうめん、パスタなどの麺類をゆでることをはじめとした調理で多量の熱湯と食材をザルに流し込む際、ザルの底面ならびにザル内の食材がシンクに触れた不潔な湯水に浸かってしまう恐れが多分にあった。【解決策】ザル底面に付く脚を長くして、シンクとザル底面の間に１０ｃｍほどの空間を作る。長い脚はザルの直径より大きく開いて固定されるため、安定感があり転倒の恐れがない。さらに脚部分は折りたたみ式なので収納時もかさばらない。折りたたむと一般的なザルの形状と同様になり、通常使用も可能である。【選択図】図１
2007185473.tif 000002
【特許請求の範囲】
【請求項１】
底に１０ｃｍ〜１５ｃｍほどの長さを持つ脚をとり付けたことを特徴とする調理用ザル。
【請求項２】
前記の脚は折りたたみ式で、使用しないときは折り重ねられて一般のザルとして利用できる請求項１記載の調理用ザル。
【請求項３】
前記の脚はザルの直径よりも大きく広がり、勢い良く熱湯を流し込んでも転倒の恐れがない請求項１記載の調理用ザル。
【発明の詳細な説明】
【技術分野】
【０００１】  この発明は、麺類をはじめとするゆでた食材の水切りにもちいる調理用ザルの形状に関する。
【背景技術】
【０００２】  従来の水切りなどに用いる調理用ザルの形状は、図４に示すように脚部分が約１ｃｍ〜２ｃｍと低い。
【発明の開示】
【発明が解決しようとする課題】
【０００３】  しかしながら以上の形状では、ザルに多量の熱湯と食材を流し込む際、図５に示すようにザルの底面がシンクに触れた不潔な湯水に浸かってしまう恐れが多分にある。というのもうどんやそば、そうめん、パスタなどの調理には多量の熱湯をもちいるため大きな両手鍋を使用することが多く、鍋を持ち上げるのに両手がふさがってしまう。ゆえにそれを受けるザルはシンクに置くことになり、結果上記のような事態が起こりえるのである。そこでこの発明は、多量の熱湯を流し込んでも、シンクに触れた湯水にザル底面と食材が浸かってしまわない調理用ザルを提供することを課題とする。
【課題を解決するための手段】
【０００４】  以上の課題を解決するために、第一発明は約１０ｃｍ〜１５ｃｍほどの長い脚をもちいてザルの底面を空中に浮かせることを特徴とした調理用ザルである。
また第二発明は、図２に示すように前記の脚が収納時にかさばらないよう底部にて内側に折りたたむことができ、その状態で一般のザルとしても使用可能であることを特徴とした調理用ザルである。（折れ脚は、一般のアイロン台の脚の開閉方式を利用）
さらに第三発明は、前記の開いた脚がザルの直径より大きく開いて固定されることにより、勢い良く熱湯を流し込んでも湯水や食材の重みで転倒しないということを特徴した調理用ザルである。
【発明の効果】
【０００５】  第一発明、第三発明によれば、調理用ザルの脚を長く、なおかつ大きく広げることで、図３に示すように多量の熱湯と食材を勢いよく流し込んでもザルの底面がシンクに触れた不潔な湯水に浸かってしまう恐れや、転倒してこぼれてしまう恐れがなくなる。
また第二発明によれば、長い脚をコンパクトに折りたたむことができ、ザルとしての一般的な利用も可能なので、収納時のかさばりが一切ない。
【発明を実施するための最良の形態】
【０００６】  この発明の一実施形態を図１に示す。
ザルの本体はステンレス製であり、底部には付け根が約１３５度開閉する、アルミ製の棒を折り曲げたような長さ１０ｃｍ〜１５ｃｍ（ザルの直径により、この限りではない）の脚が設けられている。【０００７】  「実施形態の効果」
この実施形態によれば、ステンレス製の長い脚の働きで、主な使用場所となるキッチンのシンク底面と調理用ザルの底面に約８ｃｍ〜１３ｃｍほどの空間ができるため、流し込まれてシンクに触れたあとの湯水がザル底面（またはザル内の食材）に触れることがない。ザルの直径よりも前記の脚が大きく開くため安定感があり、勢い良く多量の熱湯と重い食材を流し込んでも転倒してしまう恐れがない。
【図面の簡単な説明】
【０００８】
【図１】第一発明、第三発明の一実施形態を示す斜視図である。
【図２】第二発明の一実施形態を示す斜視図である。
【図３】第一発明、第三発明により可能となる効果の一例を示した図である。
【図４】従来技術を示す斜視図である。
【図５】従来技術により起こりうる問題点の一例を示した図である。
【図１】
2007185473.tif 000003
【図２】
2007185473.tif 000004
【図３】
2007185473.tif 000005
【図４】
2007185473.tif 000006
【図５】
2007185473.tif 000007
(57)【要約】      （修正有）【課題】ロボットプログラムの作成、修正時間を短縮して効率的なロボットプログラム作成ができるようにするとともに、作業命令の区切りを明確化する機能を備えたロボット制御装置を提供する。【解決手段】ロボットに対する少なくとも１つの命令からなる文字列型のロボットプログラムの内容を１つあるいは複数の行で表す表形式に変換する文字列-表形式プログラム変換部を備える。【選択図】図３
2007185745.tif 000002
【特許請求の範囲】
【請求項１】
キー操作によりロボットの操作や前記ロボットに対する命令の編集を行う教示装置を備えるロボット制御装置において、
前記ロボットに対する少なくとも１つの命令からなる文字列型のロボットプログラムの内容を１つあるいは複数の行で表す表形式に変換する文字列-表形式プログラム変換部を備えることを特徴とするロボット制御装置。
【請求項２】
前記プログラム-表変換部によって作成された前記表形式ロボットプログラムを前記文字列型ロボットプログラムに変換する表形式-文字列プログラム変換部を備えることを特徴とする請求項１に記載のロボット制御装置。
【請求項３】
前記表形式ロボットプログラムを保存する表形式プログラム保存部を備えることを特徴とする請求項１に記載のロボット制御装置。
【請求項４】
前記教示装置は、前記表形式ロボットプログラムを編集する機能を備えることを特徴とする請求項１に記載のロボット制御装置。
【発明の詳細な説明】
【技術分野】
【０００１】
本発明は、ロボット制御装置に関し、特にロボットの動作プログラムを表示する機能を備えたロボット制御装置に関する。
【背景技術】
【０００２】
直感的に理解しにくい複雑なプログラムを理解しやすい表形式で定義された仕様に基づいて自動作成するものがある。（例えば、特許文献１参照）。
【０００３】
【特許文献１】特開平１１-２１２７７９号公報
【発明の開示】
【発明が解決しようとする課題】
【０００４】
従来、表形式で定義された仕様に基づき複雑なプログラムを自動作成する技術によりプログラムの作成時間の短縮がなされているが、この仕組みをロボット言語に適応した例はない。ロボット言語では一連の動作は複数の命令によって実現されており、作業の単位が分かりにくいという問題があった。
本発明はこのような問題点に鑑みてなされたものであり、ロボットプログラムの表現方法を表形式にすることでロボットプログラムの作成、修正時間を短縮して効率的なロボットプログラム作成ができるようにするとともに、作業命令の区切りを明確化する機能を備えたロボット制御装置を提供することを目的とする。
【課題を解決するための手段】
【０００５】
上記問題を解決するため、本発明は、次のようにしたのである。
請求項１に記載の発明は、キー操作によりロボットの操作や前記ロボットに対する命令の編集を行う教示装置を備えるロボット制御装置において、前記ロボットに対する少なくとも１つの命令からなる文字列型のロボットプログラムの内容を１つあるいは複数の行で表す表形式に変換する文字列-表形式プログラム変換部を備えることを特徴とするものである。
請求項２に記載の発明は、前記プログラム-表変換部によって作成された前記表形式ロボットプログラムを前記文字列型ロボットプログラムに変換する表形式-文字列プログラム変換部を備えることを特徴とする。
請求項３に記載の発明は、前記表形式ロボットプログラムを保存する表形式プログラム保存部を備えることを特徴とする。
請求項４に記載の発明は、前記教示装置は、前記表形式ロボットプログラムを編集する機能を備えることを特徴とする。
【発明の効果】
【０００６】
請求項１に記載の発明によると、作業命令の設定や修正を簡単化することができ、作業命令の設定や修正にかかる時間を減少させることができる。
【発明を実施するための最良の形態】
【０００７】
以下、本発明の具体的実施例について、図に基づいて説明する。
【実施例１】
【０００８】
図１は、本発明のロボット制御装置の構成を示すブロック図である。
図において１は教示装置であり、ロボット制御装置に接続されている。操作者は教示装置１のキーを操作することによりロボットの操作やロボットプログラムの作成などを行う。
２は、ロボットプログラムの内容などを教示装置の画面に出力する表示制御部である。３はロボットプログラムを格納するプログラム格納部である。
４は文字列型ロボットプログラムを表形式に変換する文字列-表形式プログラム変換部である。文字列-表変換部４にて文字列型ロボットプログラムを表形式に変換し、表示制御部２を通し教示装置１に表示することができる。
【０００９】
５は表形式ロボットプログラムを文字列型に変換する表形式-文字列プログラム変換部である。表形式で表示されたロボットプログラムを教示装置１で編集した場合には、表形式-文字列方プログラム変換部５にて表形式プログラムを文字列型に変換しプログラム格納部３に格納する。プログラム格納部３には文字列型プログラムのみ格納されるため、表形式を意識する必要はない。
【００１０】
６はロボットプログラムを外部に出力するプログラム出力部である。プログラム出力部６はプログラム格納部３からプログラムを取得し外部に出力する。表形式でロボットプログラムを出力する場合には、プログラム格納部３よりロボットプログラムを取得し、文字列-表変換部４で文字列型から表形式に変換した後、外部に出力する。
【００１１】
図２は本発明のロボット制御装置において、ロボットプログラムを表形式に変換する手順を示すフローチャートである。図２に示すようにロボットプログラムの内容を解釈し、命令と諸条件を表形式で記憶領域に保存する。
【００１２】
図３はロボットプログラムと、そのロボットプログラムを表形式に変換して教示装置１に表示した例を示す図である。命令とその諸条件を表形式で画面に表示する。
【産業上の利用可能性】
【００１３】
ロボットプログラムの修正時間短縮していることで、ロボット制御装置に適用できる。
【図面の簡単な説明】
【００１４】
【図１】本発明のロボット制御装置の構成を示すブロック図
【図２】ロボットプログラムを表形式に変換する手順を示すフローチャート
【図３】ロボットプログラムおよびロボットプログラムを表形式に変換した例を示す図
【符号の説明】
【００１５】
１  教示装置
２  表示制御部
３  プログラム格納部
４  表形式-文字列プログラム変換部
５  文字列-表形式プログラム変換部
６  プログラム出力部
【図１】
2007185745.tif 000003
【図２】
2007185745.tif 000004
【図３】
2007185745.tif 000005
(57)【要約】【課題】軸線が水平な研削ロールの上周面に板面を接触させた回転砥石を用いて研削する方式にあっては、研削のみで、研磨に対しては、研削砥石を取り外して研磨砥石を取り付けて研磨するので、わずらわしい交換作業が必要になり、かつ研削、研磨能率が大幅に低下するなどの諸問題が発生する。【解決手段】中心に取付孔１を有する円盤状の研削砥石２と、この研削砥石の外周外側に設けた輪状の研磨砥石３とからなり、上記研削砥石と研磨砥石との板面を面一にした構成を採用する。【選択図】図１
2007185753.tif 000002
【特許請求の範囲】
【請求項１】
中心に取付孔を有する円盤状の研削砥石と、この研削砥石の外周外側に設けた輪状の研磨砥石とからなり、上記研削砥石と研磨砥石との板面を面一にしたことを特徴とする研削研磨砥石。
【発明の詳細な説明】
【技術分野】
【０００１】
この発明は、ロールを回転させながら、ロールの周面に板面を接触させて使用する研削研磨砥石に関する。
【背景技術】
【０００２】
軸線が水平になる状態で支持しながら一方向に回転する研削ロールの上周面に一方向に回転する回転砥石の板面を接触させると共に、この回転砥石をロールの両端間で往復走行させながらロールの周面を研削する方式がある（特許文献１）。
【特許文献１】特開２００４−２４３４１８号公報
【発明の開示】
【発明が解決しようとする課題】
【０００３】
ところで、特許文献１の研削に使用する回転砥石は、固結材料に一定の粒度の砥粒を混入して円盤状に成型してある。
【０００４】
上記の回転砥石は、砥粒の材質や砥粒の粒度の選択及び固結材の硬質、軟質などにより荒研削から仕上げ研削に大別される。
【０００５】
ところが、回転砥石の板面の周縁からセンター迄の硬度が一定のため、荒研削から仕上げ研削（研磨）に際し一々回転砥石を交換するので、研削機の運転停止及び回転砥石の取り外し、取付けにより著しく手数がかかって研削、研磨の能率が大幅に低下する問題があった。
【０００６】
そこで、この発明は、上述の問題を解決した研削研磨砥石を提供することにある。
【課題を解決するための手段】
【０００７】
上記の課題を解決するために、この発明は、中心に取付孔を有する円盤状の研削砥石と、この研削砥石の外周外側に設けた輪状の研磨砥石とからなり、上記研削砥石と研磨砥石との板面を面一にした構成を採用する。
【発明の効果】
【０００８】
以上のように、この発明の研磨研削砥石によれば、内側の円盤状の研削砥石により被研削材の例えばロールの周面を研削し、外側の輪状の研磨砥石により研削面を研磨するので、研削と研磨とが１個の砥石により同時に行なうことができる。
【０００９】
このため、研削砥石により研削し、次いで研削砥石を取り外して研磨砥石を取付けて、研磨するわずらわしい作業が不要になると共に、研削研磨能率を大幅にアップすることができる。
【発明を実施するための最良の形態】
【００１０】
この発明の実施の形態を添付図面に基づいて説明する。
【００１１】
この発明の研削研磨砥石Ａは、図１及び図２に示すように、中心に取付孔１を有する円盤状の研削砥石２と、この研削砥石１の外周外側に設けた輪状の研磨砥石３とからなり、上記研削砥石２と研磨砥石３との板面を面一にして形成してある。
【００１２】
上記の研削用としての研削砥石２は、砥粒の粒度が大きく、自硬性や加熱（焼成にともなう）により硬化する合成樹脂などの液状の固結材に砥粒を混入して、成型により製造し、仕上げ用としての研磨砥石３は、砥粒の粒度が小さく、自硬性や加熱（焼成にともなう）により硬化する合成樹脂などの液状の固結材の砥粒を混入して、成型により製造する。
【００１３】
そして、研削砥石２の外周外側に研磨砥石３を嵌め込んで接着剤４を介し研削砥石２に研磨砥石３を固定して一体化する。
【００１４】
次に上記研削研磨砥石Ａの使用例を説明する。
【００１５】
図３及び図４に示すように、軸線が水平になるように運び込んだロールＢの両端を主軸台の回転チャック１１とテールストック１２とで保持する。
【００１６】
また、往復台１３の回転スピンドル１４の下端に取付孔１に挿入した締付具を介し研削研磨砥石Ａを取付ける。
【００１７】
そして、ロールＢ及び研削研磨砥石Ａを一方向に回転させながら、ロールＢの周面に研削研磨砥石Ａを圧接しながら、ロールＢの両端間で研削研磨砥石Ａを往復走行させる。
【００１８】
すると、ロールＢの外周面を研削砥石２により研削しながら、研削面を研磨砥石３により研磨して、１個の砥石によって研削と研磨の作業を同時に行なう。
【図面の簡単な説明】
【００１９】
【図１】この発明の研削研磨砥石を示す下面図
【図２】同上の縦断正面図
【図３】砥石の使用を示す正面図
【図４】同上の一部切欠側面図
【符号の説明】
【００２０】
Ａ      研削研磨砥石
１      取付孔
２      研削砥石
３      研磨砥石
４      接着剤
【図１】
2007185753.tif 000003
【図２】
2007185753.tif 000004
【図３】
2007185753.tif 000005
【図４】
2007185753.tif 000006
(57)【要約】【課題】可撓電線保護管の屈曲を一方向のみに限定するようにする。【解決手段】可撓電線保護管１１の挿着部１２、１３の間は蛇腹部１８として可撓性を有し、約半円周を超える部分を肉厚部１９とし、残りの約半周部よりも少ない部分を通常の肉厚である肉薄部２０とし、肉厚部１９の外形の断面形状は矩形状としている。蛇腹部１８は肉厚部１９側では十分な屈曲が不能であり、肉薄部２０での屈曲は自在となっている。【選択図】図１
2007185067.tif 000002
【特許請求の範囲】
【請求項１】
蛇腹形状を有する合成樹脂製又はゴム製の可撓管から成る可撓電線保護管において、横断面の半円周部を越える部分の肉厚を残りの半周部よりも少ない部分の肉厚よりも大きくしたことを特徴とする可撓電線保護管。
【請求項２】
前記肉厚を大きくした部分の蛇腹断面の外側形状を外側に張り出した矩形状としたことを特徴とする請求項１に記載の可撓電線保護管。
【請求項３】
前記矩形状の隣接する外形同士は互いに近接して位置していることを特徴とする請求項２に記載の可撓電線保護管。
【発明の詳細な説明】
【技術分野】
【０００１】
本発明は、内部の電線を保護し、特定方向に屈曲性を有する可撓電線保護管に関するものである。
【背景技術】
【０００２】
例えば、自動車の電気回路において、ワイヤハーネスを挿通して、ワイヤハーネスの保護、防水、防塵を目的として、可撓性を有する蛇腹管から成る可撓電線保護管を使用して配策することが多い。
【０００３】
自動車における可撓電線保護管によるワイヤハーネスの配策では、頻繁な屈曲を必要とすることも多々あるが、従来のように任意の方向に屈曲し得る可撓管では不都合なことがある。
【０００４】
これを解決するために、特許文献１には図７に示すように蛇腹管１の外面に外方に突出する一列の断面角状のリブ２を形成することにより、その方向への曲げ規制を行っているグロメット管が開示されている。
【０００５】
【特許文献１】特開２００３−３４８７３６号公報
【発明の開示】
【発明が解決しようとする課題】
【０００６】
しかし、この蛇腹管１はリブ２が存在する一方向のみの屈曲を規制しており、他の方向への屈曲は自在とされている。
【０００７】
本発明の目的は、上述の課題を解決し、屈曲を一方向のみに限定し得る可撓電線保護管を提供することにある。
【課題を解決するための手段】
【０００８】
上述の目的を達成するための本発明に係る可撓電線保護管の技術的特徴は、蛇腹形状を有する合成樹脂製又はゴム製の可撓管から成る可撓電線保護管において、横断面の半円周部を越える部分の肉厚を残りの半周部よりも少ない部分の肉厚よりも大きくしたことにある。
【発明の効果】
【０００９】
本発明に係る可撓電線保護管によれば、屈曲方向を複数方向のうちの一方向のみに限定することができる。
【発明を実施するための最良の形態】
【００１０】
本発明を図１〜図６に図示の実施例に基づいて詳細に説明する。
図１は合成ゴム製又は合成樹脂製のグロメットから成る可撓電線保護管１１の一部を切欠し中央部を省略した平面図、図２は底面図、図３は側面図、図４は中央部の横断面図、図５は中央部の一部の縦断面図を示している。
【００１１】
この可撓電線保護管１１は例えば自動車の車体とドア、ハッチバッグとの間に介在される電線束を挿通し保護するために設けられ、ドア、ハッチバッグの開閉に応じて頻繁な屈曲が強いられる。
【００１２】
可撓電線保護管１１の一端は、ドアパネルの孔部に押し込んで取り付けられる第１の挿着部１２とされ、他端は車体パネルの孔部に引き込んで取り付けられる第２の挿着部１３とされている。これらの挿着部１２、１３には、パネル面に当接するフランジ部１４、パネルの孔部内に挿し込む挿込部１５、フランジ部１４と挿込部１５の間に設け孔部の縁部に嵌入する環条溝１６が設けられている。そして、第２の挿着部１３には電線束をテープにより巻き付けて固定するための突起部１７が設けられている。
【００１３】
可撓電線保護管１１の第１、第２の挿着部１２、１３の間は蛇腹部１８とされて可撓性を有し、図４に示すように約半円周を超える部分が外側に張り出した肉厚部１９とされ、残りの約半周部よりも少ない部分は通常の肉厚である肉薄部２０とされている。そして、図５に示すように肉厚部１９の外側の断面形状は矩形状とされている。
【００１４】
このような構成において、この可撓電線保護管１１を例えば、図３の矢印Ａの方向に屈曲すると、図６に示すように或る曲げ角度において肉厚部１９の間の隙間同士が当接して、それ以上の屈曲は不能となる。これは、図１、図２の矢印Ｂ、Ｃ方向についても同様である。
【００１５】
しかし、図３の矢印Ｄ方向においては肉厚部１９が不存在で肉薄部２０となっているため、屈曲は或る程度、自在となっている。このように、可撓電線保護管１１或る一定のＤ方向しか十分に曲がらなくなり腰も強くなるため、曲げ方向の規制ができる。
【００１６】
この可撓電線保護管１１を上述のようにドアと車体間のハーネス回路の保護のために用いた場合に、屈曲は選定した一方向のみになされるので、可撓電線保護管１１が意図しない方向に屈曲して飛び出したり、捻れたりして、ドアやハッチバッグの開閉に支障を生ずるようなことがない。
【図面の簡単な説明】
【００１７】
【図１】グロメットの一部を切欠し中央部を省略した平面図である。
【図２】底面図である。
【図３】側面図である。
【図４】横断面図である。
【図５】縦断面図である。
【図６】肉厚方向に屈曲した場合の断面図である。
【図７】従来例の斜視図である。
【符号の説明】
【００１８】
１１  可撓電線保護管
１２、１３  挿着部
１４  フランジ部
１５  挿込部
１６  環条溝
１８  蛇腹部
１９  肉厚部
２０  肉薄部
【図１】
2007185067.tif 000003
【図２】
2007185067.tif 000004
【図３】
2007185067.tif 000005
【図４】
2007185067.tif 000006
【図５】
2007185067.tif 000007
【図６】
2007185067.tif 000008
【図７】
2007185067.tif 000009
(57)【要約】      （修正有）【課題】フライバックコンバーターにおける同期整流回路の駆動方法と出力定電圧制御を少ない部品点数で可能な回路を提供する。【解決手段】従来は出力端子に接続されていた誤差増幅器をトランス２次巻線と同期整流素子の間に配置することにより、励磁エネルギー放出時間は同期整流ＭＯＳＦＥＴを確実にオンにし、励磁エネルギー放出時間の末期には出力端子電圧がそのまま誤差増幅素子に与えられる為、負荷が軽くて出力電圧が高い時は、励磁エネルギー放出後も同期整流ＭＯＳＦＥＴをオンさせたままとなる。その結果余分なエネルギーは１次側に回生し、出力端子電圧は高精度に制御される。同期整流素子の駆動と出力の定電圧制御を兼ねる事ができる。【選択図】図１
2007185059.tif 000002
【特許請求の範囲】
【請求項１】
一定の周期でオン、オフする主スイッチ素子がトランスの１次巻線と直列に接続され、上記トランスの２次巻線と出力端子との間に直列に接続された同期整流素子と、上記同期整流素子をオン、オフさせる為の補助巻線と、上記同期整流素子のオン時間を制御する誤差増幅素子を上記トランスの２次巻線と上記同期整流素子の間に備えたフライバック式のスイッチング電源装置において、上記出力端子間の電圧が上がると上記同期整流素子のオン時間を長くして電流を１次側に回生させる事を特徴とする同期整流スイッチング電源装置。
【発明の詳細な説明】
【技術分野】
【０００１】
本発明はスイッチング電源装置に関し、より具体的には同期整流回路に関する。
【背景技術】
【０００２】
従来方式の１例として図２に示した同期整流回路が有る。
【０００３】
図２においてＭＯＳＦＥＴ  Ｑ１のオン時間は補助巻線Ｎ３に発生する電圧とコンデンサＣ１、抵抗Ｒ１、抵抗Ｒ５による微分回路で決まる。また、出力端子ＯＵＴ＋、ＯＵＴ−の電圧はフォトカプラＰＣ１により１次側にフィードバックされて、１次側の主スイッチ素子Ｑ３のオン時間を変える事により制御される。
【発明の開示】
【発明が解決しようとする課題】
【０００４】
従来の回路では出力端子電圧を１次側にフィードバックする素子が不可欠であり、また、軽負荷ではスイッチング周波数が高くなる為、制御が難しかった。
【課題を解決するための手段】
【０００５】
この発明は誤差増幅素子をトランスの２次巻線と同期整流素子との間に接続する事により、励磁エネルギー放出時間は同期整流ＭＯＳＦＥＴを確実にオンにし、励磁エネルギー放出時間の末期には出力端子電圧がそのまま誤差増幅素子に与えられる為、負荷が軽くて出力端子電圧が高い時は、励磁エネルギー放出後も同期整流ＭＯＳＦＥＴをオンさせたままとなる。その結果余分なエネルギーは１次側に回生し、出力端子電圧は高精度に制御される。また、１次側にフィードバックするフォトカプラは不要となる。
【発明の効果】
【０００６】
少ない部品点数で同期整流および出力電圧制御ができるので経済的効果が大きい。
【発明を実施するための最良の形態】
【０００７】
本発明の実施では充分にオン抵抗の低い、かつ入力容量の少ない同期整流用ＭＯＳＦＥＴを選ぶ事が肝要である。
【実施例１】
【０００８】
図１のＱ３が主スイッチ素子である。Ｑ４によって一定時間オン、オフする。
【０００９】
トランスの２次巻線Ｎ２からはＲ３，Ｒ４を通じて誤差増幅器Ｕ１に電圧が与えられる。
【００１０】
誤差増幅器Ｕ１の出力は抵抗Ｒ２を通じてＱ２を制御する。つまり２次巻線Ｎ２の電圧が設定値以上であればＱ２をオンして、Ｒ１経由で同期整流素子Ｑ１をオンにする。
【００１１】
定格負荷では２次巻線Ｎ２からのエネルギー放出が完了するとＱ１がオフになり、トランスのＮＢ巻線に発生する電圧で主スイッチ素子Ｑ３がオンになる。これは従来のフライバックコンバーターと同じである。
【００１２】
負荷が軽い場合は２次巻線Ｎ２からのエネルギー放出が終わった時点でも出力端子電圧が高くなる。この場合、設定電圧になるまで誤差増幅素子Ｕ１はＱ１をオンし続ける。結果、出力からトランスの２次巻線Ｎ２に電流が逆流し、１次巻線Ｎ１を通して入力側にエネルギーが回生される。
【００１３】
同期整流用ＭＯＳＦＥＴのＱ１に充分オン抵抗の低い物を選べば、Ｎ２巻線からのエネルギー放出末期の電圧は出力端子電圧に等しい。故に高精度な出力電圧の制御が可能であり、フォトカプラなどによる１次側へのフィードバックは不要になる。
【実施例２】
【００１４】
負荷が定格出力を越えて重くなった場合、誤差増幅器Ｕ１は出力を停止するのでＱ１はオンする事がなくなり、Ｑ１の内部寄生ダイオードにより導通するのみとなる。この時はＱ１の損失が大きくなるので発熱の問題が発生する。
【００１５】
図３に示すようにＱ２のコレクタ、エミッタ間に適当な容量のコンデンサＣ３を付加する事により、たとえＵ１がオン指令を出さなくても有る一定時間Ｑ１をオンする事ができる。これにより重負荷時でもある程度同期整流が働く事になり、Ｑ１の発熱を下げる事ができる。
【図面の簡単な説明】
【００１６】
【図１】本発明のフライバックコンバーターにおける実施例を示す回路図である。（実施例１）
【図２】従来方式の１例を示す回路図である。
【図３】発熱が問題になる場合の、本発明のフライバックコンバーターにおける実施例を示す回路図である。（実施例２）
【符号の説明】
【００１７】
Ｖ１  電圧源
ＯＵＴ＋、ＯＵＴ−  出力端子
Ｑ３  主スイッチ素子
Ｑ１  同期整流素子
Ｕ１  誤差増幅素子
Ｔ１  トランス
Ｎ１  １次巻線
Ｎ２  ２次巻線
Ｎ３  補助巻線
ＮＢ  ベース巻線
Ｑ２、Ｑ４  スイッチ素子
Ｒ１、Ｒ２、Ｒ３、Ｒ４、Ｒ５  抵抗
ＰＣ１  フォトカプラ
Ｃ１、Ｃ３  コンデンサ
【図１】
2007185059.tif 000003
【図２】
2007185059.tif 000004
【図３】
2007185059.tif 000005
(57)【要約】【課題】二酸化炭素による気候危機を防止する。【解決手段】空気中の二酸化炭素から炭素を化学的抽出し宝石人工ダイヤモンドを造るかストロンチウムを加えて人工ダイヤモンド発電かにする。また一年中植物が光合成できるように人工衛星のように人工太陽を造り空気中の二酸化炭素を削減する。【選択図】なし【特許請求の範囲】
【請求項１】
（イ）空気中の二酸化炭素から炭素を化学的抽出する。
（ロ）その炭素から化学的に宝石の人工ダイヤモンドを作るかストロンチウムを加えて人工ダイヤモンド発電かにする。
（ハ）一年中植物が光合成でき酸素を出し二酸化炭素を吸収するよう人工太陽を造り人工衛星のようにする。
以上の如く論理で導かれる二酸化炭素による気候危機防止人工ダイヤモンドと人工太陽利用二酸化炭素削減装置。
【発明の詳細な説明】
【技術分野】
【０００１】  本発明は、人工ダイヤモンドと人工太陽利用二酸化炭素削減装置に関する。
【背景技術】
【０００２】  従来、空気中の二酸化炭素削減装置技術はあまりなかった。
【発明の開示】
【発明が解決しようとする課題】
【０００３】  従来、空気中の二酸化炭素削減装置技術はあまりなかったので最新技術よって実現させる。
【課題を解決するための手段】
【０００４】  空気中の二酸化炭素から炭素を化学的抽出し宝石人工ダイヤモンドを造るかストロンチウムを加えて人工ダイヤモンド発電かにする。また一年中植物が光合成できるように人工衛星のように人工太陽を造る。
【発明の効果】
【０００５】  二酸化炭素による気候危機を防止する。
【発明を実施するための最良の形態】
【０００６】    以下、本発明の実施例について時系列的論理的に文章で説明する。空気中の二酸化炭素から炭素を化学的抽出し宝石人工ダイヤモンドを造るかストロンチウムを加えて人工ダイヤモンド発電かにする。また一年中植物が光合成できるように人工衛星のように人工太陽を造る。
以上の如く論理で導かれる二酸化炭素による気候危機を防止する人工ダイヤモンドと人工太陽利用二酸化炭素削減装置。
【実施例】
【０００７】    上記の如く実施される。
【産業上の利用可能性】
【０００８】    二酸化炭素による気候危機を防止する装置の需要の産業上の利用可能性は高いと解される。
(57)【要約】【課題】  釣り用補助具を迅速に取り出すことができて、釣り場での捌きを素早く行うことができる釣り竿を提供する。【解決手段】  元竿１の竿尻端に着脱自在に後グリップ部４を設けるとともに、後グリップ部４に支持フレーム６を介して釣り用補助具としてのピック５を取付け、ピック５が元竿内に位置する状態で後グリップ部４を元竿１に装着してある。【選択図】        図１
2007185167.tif 000002
【特許請求の範囲】
【請求項１】
元竿の竿尻端に着脱自在に後グリップ部を設けるとともに、後グリップ部に釣り用補助具を取付け、前記釣り用補助具が前記元竿内に位置する状態で前記後グリップ部を前記元竿に装着してある釣り竿。
【請求項２】
前記釣り用補助具が魚を捌き処理する為のピックである請求項１記載の釣り竿。
【請求項３】
前記釣り用補助具が前記後グリップ部に対して着脱自在に構成されている請求項１記載の釣り竿。
【発明の詳細な説明】
【技術分野】
【０００１】
本発明は、釣り竿に関する。
【背景技術】
【０００２】
釣り針や錘り等の釣り用備品や、釣上げた魚や烏賊等を現場で締めたり捌いたりする為のピックやハサミ等の補助具などは、釣り用ベストのポケットや携帯用の専用ケース等に収納して釣り場まで持ち運びしていた（特許文献１参照）。
【０００３】
【特許文献１】実開平６−５４７１４号公報（段落番号〔０００２〕、〔０００３〕、図２）
【発明の開示】
【発明が解決しようとする課題】
【０００４】
上記したように、ピック等を釣り用ベストのポケットや携帯用の専用ケースに収めている場合には、魚等を釣上げて活け締めする場合等にポケットから取り出す作業や専用ケースを置いてある場所まで移動して取り出す必要がある為に、釣り用補助具を取り出すのに時間と手間がかかるところから、活け締め作業を迅速に行い難い面があり、改善の余地があった。
【０００５】
本発明の目的は、釣り用補助具を迅速に取り出すことができて、釣り場での捌きを素早く行うことができる釣り竿を提供する点にある。
【課題を解決するための手段】
【０００６】
〔構成〕
請求項１に係る発明の特徴構成は、元竿の竿尻端に着脱自在に後グリップ部を設けるとともに、後グリップ部に釣り用補助具を取付け、前記釣り用補助具が前記元竿内に位置する状態で前記後グリップ部を前記元竿に装着してある点にあり、その作用効果は次の通りである。
【０００７】
〔作用〕
魚等を釣上げた竿の竿尻端に釣り用補助具を装備してあるので、釣上げたその場でその釣り用補助具を取り出して、捌き作業にかかることができる。
【０００８】
〔効果〕
したがって、迅速に魚等の捌き作業を行うことができるのである。
しかも、元竿内に釣り用補助具を収納できるので、専用の収納場所を必要とせず、釣り用ベストにおける収納スペースが他の釣り用補助具や備品に活用できて、収納面でも有用である。
【０００９】
請求項２に係る発明の特徴構成は、請求項１に係る発明において、前記釣り用補助具が魚を捌き処理する為のピックである点にあり、その作用効果は次の通りである。
【００１０】
〔作用効果〕
つまり、魚や烏賊を釣上げて間無くピックを取り出すことができ、取り出したピックで直ちに活け締め等の捌き処理を行うことができる。
【００１１】
請求項３に係る発明の特徴構成は、請求項１に係る発明において、前記釣り用補助具が前記後グリップ部に対して着脱自在に構成されている点にあり、その作用効果は次の通りである。
【００１２】
〔作用効果〕
捌き処理した釣り用補助具をメインテナンスや交換する際に、後グリップ部から取り外して行うことができるので、それらの作業が容易に行えるようになる。
【発明を実施するための最良の形態】
【００１３】
烏賊釣り用のエギ等を使用する釣り竿の元竿１に本願発明を適用する構成について説明する。図１に示すように、元竿１に固定フード２Ａと可動フード２Ｂとを備えた筒状のリールシート２を装着するとともに、リールシート２の竿先側に前グリップ部３を装着し、元竿１の竿尻端に後グリップ部４を設けてある。
【００１４】
後グリップ部４は、筒状の本体フレーム４Ａにエポキシ樹脂及びウレタン樹脂を積層し、更に、表面にウレタン樹脂被膜を形成した握り部４Ｂを被覆して構成されている。一方、図１（イ）に示すように、釣り用補助具５としてのピックを支持フレーム６に取付けるとともに支持フレーム６に大径部６Ａと小径部６Ｂを形成し、この小径部６Ｂにネジを刻設し、小径部６Ｂを後グリップ部４の本体フレーム４Ａに螺着することによって、ピックを後グリップ部４に着脱自在に取付ることができる。
【００１５】
図１（ロ）に示すように、ピック５を取り付けた後グリップ部４を元竿１に取り付けるには、前記した支持フレーム６の大径部６Ａを、元竿１の竿尻開口端１Ａ内に内嵌合させることによって、取付取外し構造を構成することができる。
【００１６】
上記したように、ピック５は後グリップ部４から支持フレーム６とともに取外すことが可能であり、単独使用が可能である。この単独使用をする場合を想定して、支持フレーム６に、図２に示すような開閉カバー７を取り付けてもよい。この開閉カバー７は、支持フレーム６の大径部６Ａより更に前方側に小径部６Ｃを形成し、その小径部６Ｃに横向き軸芯周りで揺動開閉可能に取り付けてあり、ピック５を使用しない場合は、図２（イ）で示すように、ピック５をカバーするように構成されている。
【００１７】
但し、開閉カバー７を大径部６Ａからはみ出ない大きさに形成することができれば、図２（イ）に示すように、ピック５を開閉カバー７でカバーした状態の侭、元竿１の竿尻端開口１Ａ内に装入することができる。そして、元竿１に装着された支持フレーム６の後端側小径部６Ｂに後グリップ部４を装着すれば、ピック５の存在を元竿１内に収納することができる。
【００１８】
〔別実施形態〕
（１）  釣り用補助具５としては、図３に示すように、支持フレーム６に釣り用補助具としてのハサミを取り付けて後グリップ部４に取り付ける構成を採ってもよい。
（２）  その他、釣り用補助具５としては、釣り糸切断用のラインカッター、針外し、魚を捌くナイフ等が該当する。
【図面の簡単な説明】
【００１９】
【図１】後グリップ部にピックを取り付けて、その後グリップ部を元竿に装着した状態を示し、（イ）は後グリップ部を元竿に装着した状態を示す一部切欠側面図、（ロ）は後グリップ部を装着する前の状態を示す一部切欠側面図
【図２】ピックにカバーを取り付けたものを示し、（イ）はピックをカバーした状態で元竿内に収納した状態を示す縦断側面図、（ロ）はピックを元竿から後グリップ部とともに取外し、カバーを開いた状態を示す縦断側面図
【図３】釣り用補助具としてハサミを後グリップ部に取り付けた状態を示し、（イ）はハサミを元竿内に収納した状態を示す縦断側面図、（ロ）はハサミを元竿から取外した状態を示す縦断側面図
【符号の説明】
【００２０】
１            元竿
４            後グリップ部
５            釣り用補助具
【図１】
2007185167.tif 000003
【図２】
2007185167.tif 000004
【図３】
2007185167.tif 000005
(57)【要約】      （修正有）【課題】ジョウロでの散水は水が入った重い本体を持って傾けなければならない、また足元より離れた所へは本体ごと差し出すようにしなければならないため体や腕への負担が大きい。さらに本体と散水口一体型のため狭い所や奥まった所への散水はしにくい。  従来のジョウロの運搬や散水は取っ手を持って行うため水が多く入って重い場合や長時間作業の場合は体や腕への負担が大きい。【解決手段】本体１と散水栓３を離し双方を合成樹脂やゴム等の柔軟性のあるホース２で連結し本体１に関係なく散水栓３が自由に動くようにする。なお散水栓３には取り回しが良いように散水栓取っ手４を付ける。  本体取っ手６に加え重い場合あるいは長時間作業用にショルダーベルト５を付け肩に懸けられるようにする。  本体１に散水栓３保持用の散水栓ホルダー７を設ける。【選択図】図１
2007185174.tif 000002
【特許請求の範囲】
【請求項１】
水入れ容器の本体と散水栓を離し、双方を合成樹脂やゴム等の柔軟性のあるホースで連結する。散水栓には取っ手が付いており、それによって本体に関係なく散水栓を自由に動かす事ができることを特徴としたホース付きジョウロ。
【請求項２】
本体には従来から有る手提げ用取っ手とは別に新たにショルダーベルトを設けたショルダーベルト付きジョウロ。
【請求項３】
本体上部に散水栓ホルダーが付いたジョウロ
【発明の詳細な説明】
【技術分野】
【０００１】  本発明は草木に水をやるためのジョウロ等の散水具に関するものである。
【背景技術】
【０００２】  従来のジョウロは本体の底にパイプが付いて、その先に散水口がついている一体物である。【０００３】  ジョウロは取っ手を持って運搬し、また本体を傾け散水する。【０００４】
【特許文献１】  特許公開  平１０−１３６８０７  特許公開  平９−９８０４  特開  号広報
【非特許文献１】    実用新案公開  平７−１１１４２  実用新案公開  平６−１３４５６
【発明の開示】
【発明が解決しようとする課題】
【０００５】  従来のジョウロでの散水は、水が入った重い本体を持ったまま傾けねばならない、また足元より離れた所への散水は本体ごと差し出すようにして傾けねばならず体や腕への負担が大きい。さらに本体と散水口が一体型のため狭い所や奥まった所への散水もしにくい。【０００６】  従来のジョウロの運搬や散水は取っ手を持って行うため、水が多く入った重い場合や長時間の場合は体や腕への負担が大きい。
【課題を解決するための手段】
【０００７】  本体と散水栓を離し双方を柔軟性のあるホースで連結し、本体に関係なく散水栓が自由に動くようにする。なお散水栓には取っ手を付けて取り回しが良いようにする。【０００８】  本体には本体を提げる取っ手に加えショルダーベルトを付け、肩に懸けられるようにする。【０００９】  本体上部に散水栓ホルダーを設ける。
【発明の効果】
【００１０】  散水栓は本体に関係なく自由に動かし散水する事ができるため体や腕への負担が少ない。また狭い所や奥まった所への散水も容易である。【００１１】  水が多く入り重い場合または長時間作業の場合はショルダーベルトで肩にかければ体や腕への負担が軽減できる。【００１２】  ジョウロを使用しない時は散水栓を散水栓ホルダーに付ければ邪魔にならず保管性もよい。
【発明を実施するための最良の形態】
【００１３】  以下、本発明の実施の形態を図面に基づき詳細に説明する。【００１４】  図１は本発明の第１の実施の形態に係り、図１は全体の外観斜視図【００１５】  図１に示すようにホース付きジョウロは水を入れる本体１と散水栓３の間に合成樹脂やゴム等の柔軟性のある数１０ｃｍのホース２を付けたものである。散水栓３には取っ手４をつける。【００１６】  図１に示すように本体１には取っ手６に加え着脱可能なショルダーベルト５を取り付ける。【００１７】  本体１の上部には散水栓３を固定しておくための散水栓ホルダー７を設ける。
【実施例】
【００１８】  本体と散水栓を連結するホースは合成樹脂やゴム等の柔軟性のあるもので、長さは大人の腕の長さ（数１０センチ）程度が望ましい。【００１８】  ショルダーベルトは重量に耐え、また長さ調整のできるものである事。【００１９】  散水栓ホルダーは本体一体型か本体への取り付け型とし散水栓を挟めるようにする。
【産業上の利用可能性】
【００２０】  本発明は家庭園芸、農業を主に散水、液肥散布、消毒薬散布用としてとして利用できる。もちろんその他の業務においても散水や液体の散布に利用できる。
【図面の簡単な説明】
【００２１】
【図１】  本発明の全体の外観斜視図である。
【符号の説明】
【００２２】  １、本体              ２、ホース          ３、散水栓          ４、散水栓取っ手
５、ショルダーベルト  ６、本体取っ手      ７、散水栓ホルダー
【図１】
2007185174.tif 000003